(57)【特許請求の範囲】
【請求項１】
容器の頸部に螺合する内キャップ（Ａ）と内キャップに取り付けられるポンプ（Ｂ）とポンプの頂部に取り付けられる押下ヘッド（Ｃ）と押下ヘッドの押し下げを阻止するストッパ（Ｄ）と内キャップ及びストッパを覆う外キャップ（Ｅ）から構成される吐出器であって、
外キャップ（Ｅ）は、内キャップを覆う本体部とストッパを覆うカバー部から構成され、
内キャップ（Ａ）と外キャップ（Ｂ）の本体部分との間には内キャップを容器に締め込む方向に機能するラチェット機構が設けられ、該ラチェット機構は内キャップが容器に螺着終了状態では逆転方向の回転が空転状態に設定されており、
外キャップ（Ｅ）のカバー部は切り離し可能であって、該カバー部の切り離し後にストッパ（Ｄ）が取り外し可能に構成されていること
を特徴とする吐出器。
【請求項２】
外キャップ（Ｅ）は、押下ヘッドを通過させて内キャップに被冠して装着するものであって、外キャップ本体は押下ヘッドを通過できる筒状体であり、外キャップのカバー部には押下ヘッド通過用の切欠部が形成されており、
外キャップ（Ｅ）のカバー部と本体部との間に周方向に亘ってカバー部を切り離し可能にする脆弱部が設けられており
切欠部の締め込み方向側に折り曲げ片が設けられ、
内キャップに完全に外キャップが装着された状態で、外キャップ下縁が内キャップ下縁より下方となる構成とされている、
ことを特徴とする請求項１記載の吐出器。
【請求項３】
内キャップ（Ａ）には、容器に装着した状態において、容器側と係合して逆転抵抗となるロック機構を構成する一方のロック部材が設けられ、
ラチェット機構は、内キャップを取り付ける方向へ回転させた場合の係合トルクが、ロック機構を生成する側係合トルクより大きく、かつ、内キャップを取り外す方向へ回転させた場合の係合トルクが、ロックを解除する側係合トルクより小さく設定されている、
ことを特徴とする請求項１または２記載の吐出器。
【請求項４】
外キャップ本体が内周面下部に係合リブが形成されていることを特徴とする請求項３記載の吐出器
【請求項５】
内キャップ（Ａ）は、押下ヘッド下部まで延出された多角形の突出鞘筒部を有し、
押下ヘッドは、前記内キャップの突出鞘筒部が嵌入される多角形の嵌入凹部を有し、
押下ヘッドの方向は多角形の合わせ面によって規制される
ことを特徴とする請求項１〜４のいずれかに記載の吐出器。
【請求項６】
押下ヘッド（Ｃ）は、ポンプのステムの上部に挿入されて装着されており、
ステム上部にはリング状に凸状部が形成されて挿入された押下ヘッドの密着及び抜け止め機構が形成されており、
未使用状態で押下ヘッドを引き抜いた場合に、再装着しようとする際にステムは押し下げられても、ストッパによって押し込みが妨害されて再装着が完成できない構成とされていること
を特徴する請求項５記載の吐出器。
【請求項７】
内キャップの突出鞘筒部の上端部にストッパの上方への抜けを防止する抜け止めリブが設けられていることを特徴とする請求項５又は６に記載の吐出器。
【請求項８】
ストッパ（Ｄ）は、多角形であって、内キャップの突出鞘筒部に着脱自在に装着されていることを特徴とした請求項４〜８のいずれかに記載の吐出器。
【請求項９】
請求項１〜８のいずれかに記載の吐出器を容器の頸部に螺合装着したことを特徴とする吐出器付き容器。
【請求項１０】
容器頸部に形成されたネジ部の終端より下側に内キャップの側のロック機構と係合する他方のロック部材を設けたことを特徴とする請求項９記載の吐出器付き容器。
【請求項１１】
ロック機構は、締め付け側方向の接触面が緩いテーパであって、逆転係合面は急なテーパが形成される突起によって形成されていることを特徴とする請求項９又は１０記載の吐出器付き容器。
【請求項１２】
透明容器であることを特徴とする請求項９〜１１のいずれかに記載の吐出器付き容器。
【請求項１３】
液体化粧料収納用の容器であることを特徴とする請求項９〜１２のいずれかに記載の吐出器付き容器。
【発明の詳細な説明】
【技術分野】
【０００１】
本発明は、容器に収容された液体をポンプにて吐出させる吐出器及び吐出器付き容器に関する。
【背景技術】
【０００２】
容器に収容された液体をポンプによる作用にて押下ヘッドの吐出孔から吐出させる構造を備えた吐出器が特許文献１（特開2009-131807号公報）等に数多く提案されている。また、未使用状態において、押下ヘッドを押し下げることができないようにし、未使用状態での押下ヘッドからの液体の吐出を防止する構造も提案されており、例えば、特許文献２（特開２００１−１８０７７４号公報）等がある。この従来例においては、未使用状態において、キャップ（ストッパー）を取り外したり押下ヘッドを引き抜いたり等して、容器内の液体を取り出した後に、未使用状態に復帰できないようにする配慮等は特にされていない。
特許文献２（特開２００１−１８０７７４号公報）に開示されたポンプ付き容器用ストッパーは、容器本体と、この容器本体の口金部に気密に取り付けられ、容器本体の内部に収容された液状の内容物を放出させるためのポンプ機構を有するキャップ部と、このキャップ部の上端に取り付けられたポンプ部とを備えるポンプ付き容器において、キャップに着脱可能に嵌合させてポンプ機構の動作を禁止するものであり、未使用状態においてストッパーを取り外してからポンプ部を押し下げて液体を吐出させた後、このストッパーを再度取り付けることが可能であるため、未使用状態において容器内の液体を抜き取り等されるおそれがあるといった問題がある。
【先行技術文献】
【特許文献】
【０００３】
【特許文献１】特開２００９−１３１８０７号公報
【特許文献２】特開２００１−１８０７７４号公報
【発明の概要】
【発明が解決しようとする課題】
【０００４】
未使用状態を強固に維持できる吐出器及び吐出器付き容器を提供する。
特に、未使用状態におけるストッパの取り外しを防止できる構成の吐出器を提案する。
【課題を解決するための手段】
【０００５】
本発明は、液体が収容された容器の頸部に取り付けられた内キャップと、上方から付勢された状態で下方に移動可能に挿通されたステムの少なくとも一部を内キャップの連通孔より上方に突出させて取り付けられたポンプと、このポンプのステムの上端に設けられた押下ヘッドとを備えた構成の吐出器であって、未使用状態において、少なくとも外キャップのカバー部を取り除く等してストッパを取り外さない限り、押下ヘッドを押し下げることによる液体の吐出ができない構成としたものである。この吐出器を取り付けた容器は未使用状態を維持でき、中途開封ができず、確実に安全に展示しユーザーへ届けることができる。押下ヘッドの方向と吸い上げチューブの位置関係を特定できるので、装着された吐出器を外すことなく残量を僅少化することができる。
【０００６】
本発明の主な解決手段は次のとおりである。
１．容器の頸部に螺合する内キャップ（Ａ）と内キャップに取り付けられるポンプ（Ｂ）とポンプの頂部に取り付けられる押下ヘッド（Ｃ）と押下ヘッドの押し下げを阻止するストッパ（Ｄ）と内キャップ及びストッパを覆う外キャップ（Ｅ）から構成される吐出器であって、
外キャップ（Ｅ）は、内キャップを覆う本体部とストッパを覆うカバー部から構成され、
内キャップ（Ａ）と外キャップ（Ｂ）の本体部分との間には内キャップを容器に締め込む方向に機能するラチェット機構が設けられ、該ラチェット機構は内キャップが容器に螺着終了状態では逆転方向の回転が空転状態に設定されており、
外キャップ（Ｅ）のカバー部は切り離し可能であって、該カバー部の切り離し後にストッパ（Ｄ）が取り外し可能に構成されていること
を特徴とする吐出器。
２．外キャップ（Ｅ）は、押下ヘッドを通過させて内キャップに被冠して装着するものであって、外キャップ本体は押下ヘッドを通過できる筒状体であり、外キャップのカバー部には押下ヘッド通過用の切欠部が形成されており、
外キャップ（Ｅ）のカバー部と本体部との間に周方向に亘ってカバー部を切り離し可能にする脆弱部が設けられており
切欠部の締め込み方向側に折り曲げ片が設けられ、
内キャップに完全に外キャップが装着された状態で、外キャップ下縁が内キャップ下縁より下方となる構成とされている、
ことを特徴とする１．記載の吐出器。
３．内キャップ（Ａ）には、容器に装着した状態において、容器側と係合して逆転抵抗となるロック機構を構成する一方のロック部材が設けられ、
ラチェット機構は、内キャップを取り付ける方向へ回転させた場合の係合トルクが、ロック機構を生成する側係合トルクより大きく、かつ、内キャップを取り外す方向へ回転させた場合の係合トルクが、ロックを解除する側係合トルクより小さく設定されている、
ことを特徴とする１．または２．記載の吐出器。
４．外キャップ本体が内周面下部に係合リブが形成されていることを特徴とする３．記載の吐出器
５．内キャップ（Ａ）は、押下ヘッド下部まで延出された多角形の突出鞘筒部を有し、
押下ヘッドは、前記内キャップの突出鞘筒部が嵌入される多角形の嵌入凹部を有し、
押下ヘッドの方向は多角形の合わせ面によって規制されることを特徴とする１．〜４．のいずれかに記載の吐出器。
６．押下ヘッド（Ｃ）は、ポンプのステムの上部に挿入されて装着されており、
ステム上部にはリング状に凸状部が形成されて挿入された押下ヘッドの密着及び抜け止め機構が形成されており、
未使用状態で押下ヘッドを引き抜いた場合に、再装着しようとする際にステムは押し下げられても、ストッパによって押し込みが妨害されて再装着が完成できない構成とされていることを特徴する５．記載の吐出器。
７．内キャップの突出鞘筒部の上端部にストッパの上方への抜けを防止する抜け止めリブが設けられていることを特徴とする５．又は６．に記載の吐出器。
８．ストッパ（Ｄ）は、多角形であって、内キャップの突出鞘筒部に着脱自在に装着されていることを特徴とした４．〜８．のいずれかに記載の吐出器。
９．１．〜８．のいずれかに記載の吐出器を容器の頸部に螺合装着したことを特徴とする吐出器付き容器。
１０．容器頸部に形成されたネジ部の終端より下側に内キャップの側のロック機構と係合する他方のロック部材を設けたことを特徴とする９．記載の吐出器付き容器。
１１．ロック機構は、締め付け側方向の接触面が緩いテーパであって、逆転係合面は急なテーパが形成される突起によって形成されていることを特徴とする９．又は１０．記載の吐出器付き容器。
１２．透明容器であることを特徴とする９．〜１１．のいずれかに記載の吐出器付き容器。
１３．液体化粧料収納用の容器であることを特徴とする９．〜１２．のいずれかに記載の吐出器付き容器。
【発明の効果】
【０００７】
本発明は、上述したような構成を備えることによって、以下のような本発明に特有の効果を奏するものである。
１．本発明の吐出器は、不正使用を防止する機能を高めることができる。この吐出器を装着した化粧溶液などを安全且つ確実にユーザーに届けることができる。
２．未使用状態で押下ヘッドの下部に装着されているストッパが外キャップのカバー部にて覆われているので、外キャップのカバーを取り除かない限り、ストッパを解除することはできない。そして、外キャップと内キャップを嵌合させることにより、外キャップを内キャップから外すことができない構造を実現した。
３．この吐出器を容器に装着した状態では、容器から脱着できない構造としてあるので、吐出器全体を取り外すことができない。したがって、未使用状態の維持機能を向上させることができ、開封後も異種物質の混入を防止することができる。
４．押下ヘッドと内キャップの天壁部との間に取り外し可能に取り付けられたストッパが外キャップのカバー部にて覆われており、この外キャップの本体部を内キャップに外嵌合した状態が外キャップの係合部による内キャップへの係合によって保持され、容器の頸部からの内キャップの取り外しを防止する取り外し防止手段が内キャップと外キャップとの間に設けられている。このため、内キャップと外キャップの嵌合により、内キャップから外キャップを取り外すことができず、少なくとも外キャップのカバー部を取り除く等して、ストッパを取り外し可能な状態にし、このストッパを押下ヘッドと内キャップの天壁部との間から取り外さなければ、押下ヘッドを押し下げて、容器に収容されている液体を吐出孔から吐出できない。特に、外キャップのカバー部を取り除く等して、ストッパを取り外し可能な状態にした場合には、この外キャップのカバー部を取り除く等する前の状態に戻すことが不可能であるから、未使用状態におけるストッパの取り外しおよび外キャップの取り外しを確実に防止でき、未使用状態における容器内からの液体の抜き出しを確実に防止できるとともに、未使用状態の保持を確実にできる。
５．容器の頸部に内キャップを螺合させる際、内キャップは外キャップに覆われているため、内キャップに直接トルクを伝えることができず、外キャップにかけたトルクがラチェット機構を通じて、内キャップに及ぼされることになる。容器の頸部に内キャップを螺合させる方向へ外キャップを回転させた場合は、ラチェット機構によって内キャップと外キャップとが係合して、この外キャップとともに内キャップが回転するため、容器の頸部に内キャップをより確実に取り付ける操作が可能であるが、容器の頸部への内キャップの螺合を解除させる方向へ外キャップを回転させる場合は、内キャップと外キャップとがラチェット機構によって係合せず、外キャップが空回りする。よって、外キャップを内キャップから取り外す等しなければ、この内キャップを容器の頸部から取り外すことができないため、未使用状態の保持をより確実にできる。
６．外キャップのカバー部を外キャップの本体部から引き離すことによって、この外キャップのカバー部が脆弱部に沿って切り離されるため、ストッパが取り外し可能な状態となる。よって、このストッパを取り外すことにより、押下ノズルを押し下げることができる状態となり、容器に収容された液体を吐出できる状態となる。この結果、未使用状態において外キャップを脆弱部に沿って切り離した後に、この外キャップを切り離す前の状態に戻すことができなくなるため、未使用状態の保持をより確実にできるとともに、一旦使用状態にした後の未使用状態への復帰を確実に防止できる。
７．容器の頸部と内キャップとの間にロック機構を設け、容器の頸部に内キャップを取り付ける方向へ回転させた場合のラチェット機構の係合トルクが、この容器の頸部に内キャップを取り付けた際のロック機構の係合トルクより大きく、かつ容器の頸部から内キャップを取り外す方向へ回転させた場合のラチェット機構の係合トルクが、このロック機構に抗して内キャップを容器の頸部から取り外す際の解除トルクより小さいことにより、容器の頸部に内キャップを螺合させる方向へ外キャップを回転させた場合に、ラチェット機構にて内キャップと外キャップとが係合することによって、この外キャップとともに内キャップを回転でき、容器の頸部と内キャップとをロック機構にて係合させることができるとともに、容器の頸部に内キャップをロック機構なしで取り付けた場合に比べ、この容器の頸部から内キャップが取り外しにくくなる。したがって、ラチェット機構による内キャップの取り外し防止に加え、ラチェット機構による取り付け方向の係合トルクと取り外し方向の係合トルクとロック機構による係合トルクと解除トルクとのトルクバランスによって、容器の頸部２２からの内キャップの取り外しをより確実に防止できる。
８．ストッパは、内キャップの鞘筒上辺に設けられた抜け止めリブの下方に位置し、かつ外キャップのカバーによって覆われているので、押下ヘッドを引き抜いても、ストッパが上方へ引き出されることは防止できる。したがって、ポンプのステムの上端から押下ヘッドを取り外した状態においても、外キャップのカバー部を除去しない限りは、抜け止めリブが邪魔していてストッパを上方へ抜くことができないから、押下ヘッドを取り外してから再度押下ヘッドを取り付けて、この押下ヘッドを押し下げ可能にすることを確実に防止でき、未使用状態の保持をより確実にできる。
９．連通孔より上方に突出したステムの少なくとも一部を覆う突出鞘筒部の外周面と、この突出鞘筒部が嵌入される押下ヘッドの嵌入凹部の内周面とのそれぞれを、径方向断面多角形状に形成することにより、押下ヘッドの向きを位置決めすることが可能になる。このため、この押下ヘッドの向きを位置決めすることによって、容器に方向性を持たせることができ、外キャップの組み付け工程が容易となる。また、嵌入部について、部材の樹脂の弾性変形により、押下ヘッドのノズルの方向を変えることができ、その位置で固定することができるので、残量液と吸い上げチューブの位置を特定することができるので、内溶液を使い切ることが可能となる。また、正面および背面を決定できるから、ラベル等の貼り付け位置を特定できるとともに、複数の容器を陳列等した際にすべての押下ヘッドの向きを一方向に容易に揃えることができる。
１０．連通孔より上方に突出したステムの少なくとも一部が突出鞘筒部３９にて覆われ、この突出鞘筒部に抜け止めリブが設けられストッパが取り付けられている。このため、押下ヘッドを取り外してステムの上端から容器に収容された液体を引き抜く等した後に、このステムの上端に押下ヘッドを再度取り付けようとした場合に、このステムの上端が内キャップの突出鞘筒部内に入り込み、このステムの上端に再度押下ノズルを取り付けることができなくなり、未使用状態に戻すことができなくなるため、未使用状態の保持をより確実にできるとともに、押下ノズルを取り外して容器から液体を取り出した後の未使用状態への復帰をより確実に防止できる。
１１．吐出器を装着した容器は、開封前には未使用状態を維持でき、開封後は異物を混入することが困難であり、残量を僅少化することができる。
【図面の簡単な説明】
【０００８】
【図１】一実施例の吐出器を容器に取り付けた未使用状態を示す図であり、(a)は一部を切り欠いた側面図を示し、(b)は吐出器の上面図を示す。
【図２】一実施例の容器を示す図であり、(a)は一部を切り欠いた側面図を示し、(b)は上面図を示す。
【図３】一実施例の内キャップを示す図であり、(a)は底面図を示し (b)は側面図を示し、(c)は上面図を示し、(d)は断面図を示す。
【図４】一実施例のポンプの側面図を示す。
【図５】一実施例の押下ヘッドを示す図であり、(a)は一部を切り欠いた側面図を示し、(b)は上面概略図を示す。
【図６】一実施例のストッパの上面図を示す。
【図７】一実施例の外キャップを示す図であり、(a)は底面図を示し、(b)は側面図を示し、(c)は上面図を示し、(d)は断面図を示す。
【図８】一実施例のポンプに内キャップを取り付けた状態の一部を切り欠いた側面図を示す。
【図９】一実施例のポンプに押下ヘッドを取り付ける状態の一部を切り欠いた側面図を示す。
【図１０】一実施例のポンプにストッパを取り付けた状態の一部を切り欠いた側面図を示す。
【図１１】一実施例のポンプに外キャップを取り付けた状態の一部を切り欠いた側面図を示す。
【図１２】吐出器の組み立て例を示す図。
【図１３】突出器付き容器の組み立て例を示す図。
【発明を実施するための最良の形態】
【０００９】
本発明は、液体が収容された容器の頸部に取り付けられ、この容器の口部に連通する連通孔が設けられた天壁部、およびこの天壁部の周縁を覆い容器の頸部に螺合される筒状の周壁部を有する内キャップと、この内キャップの連通孔に挿通されて取り付けられ、上方から付勢された状態で下方に移動可能に挿通されたステムの少なくとも一部を連通孔より上方に突出させたポンプと、このポンプのステムの上端に設けられ、吐出孔が形成されたノズル部を有する押下ヘッドと、を備えた吐出器であって、押下ヘッドの押し下げを阻止するストッパが押下ヘッドと内キャップの天壁部との間に介在されて取り外し可能に取り付けられており、このストッパを覆うカバー部と、内キャップに外嵌合される筒状の本体部と、この本体部を内キャップに外嵌合させた際にこの内キャップに係合される係合部とを有する外キャップを備えている。外キャップのカバー部には、押下ヘッド側から外キャップを取り付ける際に、この押下ヘッドのノズル部によるカバー部への接触を回避させる切欠部が設けられ、内キャップと外キャップとの間には、容器の頸部からの内キャップの取り外しを防止する取り外し防止手段が設けられている。外キャップと内キャップを嵌合させることにより、内キャップから外キャップを取り外すことができず、少なくとも外キャップのカバー部を取り除く等して、ストッパを取り外し可能な状態にし、このストッパを押下ヘッドと内キャップの天壁部との間から取り外さなければ、押下ヘッドを押し下げて、容器に収容されている液体を吐出できない。特に、外キャップのカバー部を取り除く等して、ストッパを取り外し可能な状態にした場合には、外キャップのカバー部を取り除く等する前の未使用状態に戻すことができない。
本発明の吐出器は、容器の頸部に内キャップを螺合させる方向へ相対的に回転させた場合に、内キャップと外キャップとが係合し、外キャップとともに内キャップが回転するため、容器の頸部に内キャップをより確実に取り付けることができるのに対し、容器の頸部への内キャップの螺合を解除させる方向へ相対的に回転の場合には、内キャップと外キャップとが係合せず、外キャップが空回りする。よって、外キャップを内キャップから取り外す等しなければ、この内キャップを容器の頸部から取り外すことができない。外キャップの係止部を外キャップの本体部から引き離して、脆弱部に沿って外キャップを切り離すことによって、この外キャップのカバー部を内キャップから取り外すことができ、ストッパが取り外し可能な状態となる。この状態で、ストッパを取り外すことにより、押下ノズルを押し下げることができる状態となり、容器に収容された液体を吐出できる状態となるから、未使用状態において外キャップを脆弱部に沿って切り離した後に、この外キャップを切り離す前の状態に戻すことができない。
【００１０】
本発明の吐出器は、容器の頸部に内キャップを取り付けた際に係合するロック機構が容器の頸部と内キャップとの間に設けられており、容器の頸部に内キャップを取り付ける方向へ回転させた場合のラチェット機構の係合トルクが、ロック機構の係合トルクより大きく、かつこのロック機構に抗して内キャップを容器の頸部から取り外す際の解除トルクより小さく設定されている。容器の頸部に内キャップを螺合させる方向へ外キャップを回転させた場合に、ラチェット機構にて内キャップと外キャップとが係合することにより、この外キャップとともに内キャップを回転でき、容器の頸部と内キャップとをロック機構にて係合させることができる。容器の頸部に内キャップを係合させる場合に比べ、この容器の頸部から内キャップが取り外しにくくなるから、ラチェット機構による内キャップの取り外し防止に加え、ロック機構による係合トルクと解除トルクとのトルクバランスによって、容器の頸部からの内キャップの取り外しがより確実に防止される。
本発明の吐出器の押下ヘッドには内キャップの突出鞘筒の先端側を収納する凹部が形成されている。この収納によって生ずる両者の関係に自由回動を阻止する抵抗手段を講ずることにより、両者の位置関係を規定することができ、ノズルの方向などを特定することができる。その手段として、６角形以上の多角形の組み合わせ、双方に縦リブを形成するなど、押下ヘッドを回動させた場合に接触して両者が干渉抵抗を生ずる機構を設けることができる。この干渉抵抗は一般の人が強めに力を加えることにより克服する程度に設定し、使用時の利便性も確保する設定とする。
多角形を例にして説明する。本発明の吐出器は、連通孔より上方に突出したステムの少なくとも一部を覆う突出鞘筒部の外周面と、この突出鞘筒部が嵌入される嵌入凹部の内周面とのそれぞれが径方向断面多角形状に形成されている。押下ヘッドの向きを位置決めでき、容器に収容された液体をより確実に残すことなく吐出できるとともに、容器に方向性を持たせることができるから、例えば、ラベル等の貼り付け位置を特定でき、複数の容器を陳列等した際にすべての押下ヘッドの向きを一方向に容易に揃えることが可能となる。ここで、これら突出鞘筒部の外周面および嵌入凹部の内周面は、所定の力を加えた場合に押下ヘッドが周方向に回転できるように、径方向断面六角形以上の多角形が好ましく、径方向断面八角形がより好ましい。また、ポンプのステムの上端から押下ヘッドを取り外した状態においても、外キャップのカバー部によってストッパの取り外しができず、抜け止めリブによってストッパを上方へ抜くことができないから、押下ヘッドを取り外してからストッパを取り外した後に再度押下ヘッドを取り付けて、この押下ヘッドを押し下げ可能にできない。
本発明の吐出器は、連通孔より上方に突出したステムの少なくとも一部を覆う筒状の突出鞘筒部に抜け止めリブが設けられ、この突出鞘筒部にストッパが取り付けられるため、押下ヘッドを取り外してステムの上端から容器に収容された液体を引き抜く等した後に、ステムの上端に押下ヘッドを再度取り付けようとした場合に、このステムの上端が内キャップの突出鞘筒部内に入り込むから、このステムの上端に再度押下ノズルを取り付けることができなくなり、未使用状態に戻すことができない。なお、内キャップの突出鞘筒部にストッパを取り付けているが、この突出鞘筒部が形成されておらず、ポンプのステムが露出等されて覆われていない場合には、このステムにストッパを取り付ける構造とすることもできる。
【００１１】
１．容器
容器は、収容される液体の用途や用量によって、その大きさを適宜決定することができる。この容器には、例えば化粧品等の液体が収容されており、この容器内に液体を収容させたり取り出したりするための口部が上端部に設けられている。容器は残量が見えるように一部あるいは全体が透明となっていることが好ましい。収容されている液体はポンプの下端に取り付けられたチューブから吸い出される。
【００１２】
２．内キャップ
内キャップは、容器の頸部に螺合する雌ネジが設けられ、中央部にはポンプを装着する連通孔が設けられている。また、内キャップは、上方に延出してステムを覆う鞘状の筒体を形成することができる。
内キャップは、容器の頸部に取り付けられ、天壁部には容器の口部に連通する連通孔が設けられている。容器の頸部に螺着する筒状の周壁部が設けられている。また、内キャップの天壁部と押下ヘッドとの間の部分に、筒状の突出鞘筒部が設けられている。この突出鞘筒部の外周面には、ポンプのステムから押下ヘッドを取り外した状態でのストッパの上方への抜けを防止する抜け止めリブを設けることができる。この突出鞘筒部の外周面は、断面多角形状に形成することができる。なお、内キャップと容器の頸部との間に、この容器の頸部に内キャップを取り付けた際に係合するロック機構を設けることもできる。このロック機構としては、容器の頸部に内キャップを取り付ける際の係合トルクが、このロック機構に抗して内キャップを容器の頸部から取り外す際の解除トルクより小さくなるように設定することが好ましい。
【００１３】
３．ポンプ
ポンプは、内キャップの連通孔に挿通されて取り付けられ、上方から付勢によって下方に移動可能に挿通されたステムの一部を連通孔より上方に突出させている。なお、このステムのうちの、連通孔より上方に突出した少なくとも一部は、内キャップの突出鞘筒部にて覆われている。ステムの上端に押下ヘッドが装着される。
【００１４】
４．押下ヘッド
押下ヘッドは、吐出孔が形成されたノズル部を有し、ポンプのステムの上端に密着状態に装着されている。内キャップの突出鞘筒部に当接する場合は、押下ヘッドを押し下げた際に内キャップの突出鞘筒部が嵌入する嵌入凹部が形成される。
【００１５】
５．ストッパ
ストッパは、押下ヘッドの押し下げを阻止し未使用状態を保持するためのものであり、未使用状態において押下ヘッドと内キャップの天壁部との間に取り外し可能に装着される。ストッパはステムあるいは内キャップの突出鞘筒部を覆う縦方向に切欠きが形成された筒形であって、切欠き部を通過させることにより着脱することができる。内キャップに突出鞘筒部が形成されている場合は、該突出鞘筒部の外周面に取り外し可能に取り付けられる。突出鞘筒部が多角形状である場合は、ストッパ断面内周面を断面多角形状に形成する。多角形によって、ストッパの回動が規制される。なお、使用する際に、ストッパは取り外される。
【００１６】
６．外キャップ
外キャップは、ストッパを覆うカバー部と、内キャップに外嵌合される筒状の本体部と、この本体部を内キャップに外嵌合させた際にこの内キャップに係合される係合部とを有している。カバー部には、押下ヘッド側から外キャップを取り付ける際に、この押下ヘッドのノズル部によるカバー部への接触を回避させる切欠部が設けられている。外キャップと内キャップとの間には、容器の頸部からの内キャップの取り外しを防止する取り外し防止手段が設けられている。この取り外し防止手段は、好ましくはラチェット機構であって、容器の頸部に内キャップを螺合させる方向への回転の場合に、内キャップと外キャップとを係合させて外キャップとともに内キャップを回転操作可能にする。一方、容器の頸部への装着後は、内キャップの螺合を解除させる方向への相対的な回転の場合には、このラチェット機構は係合が解除されて外キャップが空回りする構成とする。ラチェット機構の係合トルクは、容器の頸部に内キャップを取り付ける際のロック機構の係合トルクより大きく設定される。このロック機構に抗して内キャップを容器の頸部から取り外す際には、ラチェットが整合せずロックに解除トルクが働くことはない。
カバー部は、使用時に本体部から切り離されて、ストッパにアクセスできる様にされている。カバー部と本体部との間に周方向に亘って脆弱部を形成し、該脆弱部から切り離しができる構成とする。
カバー部に設けられた切欠部の側辺に折り曲げ片が設けられ、カバー部の切り離しの際の指掛け部や摘みとして形成することができる。
【００１７】
７．組み立て方法
内キャップの連通孔に装着したポンプのステムの上端に押下ヘッドを装着する。この後、この押下ヘッドと内キャップの天壁部との間にストッパを取り付けて、押下ヘッドを押し下げることができないようにする。内キャップに突出鞘筒部が形成されている場合は、突出鞘筒部の外面にストッパを装着する。このとき、押下ヘッドには、内キャップの突出鞘筒部に設けた抜け止めリブを嵌入凹部に収容してストッパの上方への抜けが困難とされる。
次いで、外キャップを内キャップに被冠する。外キャップのカバー部に設けられた切り込みによって、押下ヘッドのノズルを通過させて、この外キャップの本体部を内キャップに外嵌合させるとともに、この外キャップと内キャップの間にラチェット機構が形成されるように係合させる。さらに、ポンプの下端に吸い出し用のチューブを取り付け、液体が所定量収容された容器の口部に、ポンプの下端側を挿入していき、外キャップを回転させて、容器の頸部に内キャップの周壁部を螺合させるとともに、これら容器の頸部と内キャップとをロック機構にて係合させて未使用状態の吐出器とする。
【００１８】
８．使用方法
未使用状態の吐出器を、押下ヘッドの押し下げによって液体を吐出させる通常の使用状態にする場合には、外キャップのカバー部を脆弱部に沿って切り離して取り除く。このとき、この外キャップのカバー部が取り除かれたことにより、ストッパが取り外し可能な状態となる。そして、このストッパを取り外すことによって、押下ヘッドを押し下げることができる状態となり、容器に収容された液体を吐出できる状態となる。このように、通常の使用においては、外キャップのカバーを除去しない限りストッパを外すことができない機構となっている。
しかしながら、力ずくによって、未使用状態で吐出器の押下ヘッドを引っ張る等して、この押下ヘッドをポンプのステムの上端から無理矢理取り外して、容器に収容された液体をポンプのステムの上端から取り出すことも可能であるが、押下ヘッドをステムの上端から取り外した後、この押下ヘッドをステムの上端に再度取り付けようとすると、このステムの上端が内キャップの突出鞘筒部内に入り込んでしまうため、この押下ノズルをステムの上端に再度取り付けることができず、未使用状態に戻すことができない。なお、ステムと押下ヘッドは液漏れがないようにシールされた状態に密着状体で装着されるので、押下ヘッドの装着はステムを押し下げて固定した状態で行う必要がある。
内キャップを容器の頸部から取り外して、この容器の口部から容器内の液体を取り出そうとした場合には、この内キャップに外嵌合されて外キャップが取り付けられているため、直接内キャップを操作することができない。この外キャップを介して容器の頸部への内キャップの螺合を解除させる方向に、内キャップを回転しようとすると、これら内キャップと外キャップとの間に設けられたラチェット機構によって、外キャップが内キャップに係合できず外キャップが空回りする状態となり、内キャップを容器の頸部から外すことができない。
なお、外キャップを介して容器の口部に内キャップを取り付ける方向に、この内キャップを回転する場合には、これら内キャップと外キャップとがラチェット機構にて係合した状態となって、この外キャップとともに内キャップが回転し、容器の頸部に内キャップをより確実に螺合させて取り付けることができる。
本発明の容器は、化粧料用容器、医療用容器など、不正使用あるいは開封後に異物混入を防止する容器に適している。
【実施例】
【００１９】
図１〜図１１に本発明の一実施例を示す。具体的な容器の形状は、特にこれに限定されるものではない。
図１は、一実施例の吐出器を容器に取り付けた未使用状態を示す図であり、(a)は一部を切り欠いた側面図を示し、(b)は吐出器の上面図を示す。
図２は、一実施例の容器を示す図であり、(a)は一部を切り欠いた側面図を示し、(b)は上面図を示す。
図３は、一実施例の内キャップを示す図であり、(a)は底面図を示し、 (b)は側面図を示し、(c)は上面図を示し、 (d)は断面図を示す。
図４は、一実施例のポンプの側面図を示す。
図５は、一実施例の押下ヘッドを示す図であり、(a)は一部を切り欠いた側面図を示し、(b)は上面概略図を示す。
図６は、一実施例のストッパの上面図を示す。
図７は、一実施例の外キャップを示す図であり、(a)は底面図を示し、 (b)は側面図を示し、(c)は上面図を示し、 (d)は断面図を示す。
図８は、一実施例のポンプに内キャップを取り付けた状態の一部を切り欠いた側面図を示す。
図９は、一実施例のポンプに押下ヘッドを取り付ける状態の一部を切り欠いた側面図を示す。
図１０は、一実施例のポンプにストッパを取り付けた状態の一部を切り欠いた側面図を示す。
図１１は、一実施例のポンプに外キャップを取り付けた状態の一部を切り欠いた側面図を示す。
【００２０】
図１(a)および図１(b)には、本発明の一実施例の吐出器１を容器２に取り付けた未使用状態（密封状態、いわゆるバージン状態）の密閉容器１１が示されており、容器２に取り付けられる内キャップ３、内キャップ３に挿通されて取り付けられるポンプ４、ポンプ４の上端に設けられた押下ヘッド５、押下ヘッド５の押し下げを阻止するストッパ６、およびストッパ６を覆って内キャップ３に外嵌合される外キャップ７から構成されている。ここで、吐出器１は、いわゆるプライミング式吐出器であって、例えば乳液や化粧水等の液体Ｌをポンプ４の作用にて吐出させるものである。ポンプ４の下端には図示していないが、容器底面まで伸びるチューブが取り付けられている。
【００２１】
＜容器＞
容器２は、例えば、合成樹脂やガラス等の比較的硬質な素材にて形成されたボトルであって、図２(a)および図２(b)に示すように、上下方向に軸方向を有する有底略円筒状の容器本体としてのボトル本体２１を有し、このボトル本体２１の上端部が縮径されて円筒状の頸部２２が設けられ、この頸部２２の上端部に口部２３が設けられている。頸部２２の外周面２２ａに雄ねじ２４が形成されている。この雄ねじ２４より下側の外周面２２ａには、この外周面２２ａの径方向に突出した環状の係止リブ２５が周方向に亘って設けられている。この係止リブ２５の上側に位置する上面２５ａには、一対の係止片２６が設けられている。これら一対の係止片２６は、口部２３の中心を基準とした点対称な位置に設けられており、この口部２３の径方向に沿って相対する方向に突出している。また、これら各係止片２６は、口部２３の径方向に沿って設けられた第１の片である中心片２６ａと、この中心片２６ａから離間されこの中心片２６ａに対して平行に設けられた第２の片である側片２６ｂとから構成されている。ここで、この側片２６ｂの中心片２６ａに面する側には、基端部がテーパ状に形成された傾斜面２６ｃが形成されている。
【００２２】
＜内キャップ＞
内キャップ３は、例えばポリプロピレン（polypropylene：ＰＰ）等の容器２よりも比較的軟質な素材にて形成されており、図３(a)〜図３(d)に示すように、円状の連通孔３１ａが中心に設けられた円環状の天壁部としての上面部３１、および上面部３１の周縁を覆って下方に突出した円筒状の周壁部としての周面部３２を有している。この周面部３２の内周面３２ａの上側には、容器２の頸部２２の外周面２２ａに設けられた雄ねじ２４に螺合可能な雌螺旋としての雌ねじ３３が設けられている。この雌ねじ３３より上側の内周面３２ａには、断面凹溝状の係止凹部３４が内周面３２ａの周方向に亘って設けられている。さらに、この雌ねじ３３より下側の内周面３２ａには、容器２の口部２３に内キャップ３を取り付けた際に、この容器２の頸部２２に設けられた係止片２６に係止されロック機構３５の一方を構成する係止ラチェット３６が設けられている。この係止ラチェット３６は、容器２の係止片２６とにてロック機構３５を構成している。また、係止ラチェット３６は、図３(a)に示すように、周面部３２の内周面３２ａの周方向に亘って設けられており、容器２の雄ねじ２４に内キャップ３の雌ねじ３３を螺合させる方向、例えば図３(a)中の時計回り方向に面する側の面が徐々に突出するテーパ状の傾斜面３６ａとされ、容器２の雄ねじ２４への螺合を解除させる方向、例えば図３(a)中の反時計回り方向に面する側の面が垂直面３６ｂとされた複数のラチェット歯３６ｃが、内周面３２ａの周方向に沿って等間隔に離間されて設けられて構成されている。よって、これらラチェット歯３６ｃは、容器２の雄ねじ２４に内キャップ３の雌ねじ３３を螺合させ、この容器２の係止片２６をいずれかのラチェット歯３６ｃに係合させる際の、このラチェット歯３６ｃの傾斜面３６ａを係止片２６の中心片２６ａが乗り越えるために必要なトルク、すなわち係合トルクＡが、これらラチェット歯３６ｃの垂直面３６ｂに抗して反転防止ロック係合が解除されるように内キャップ３を回転させ、このラチェット歯３６ｃの垂直面３６ｂを容器２の係止片２６の中心片２６ａが乗り越えて、容器２の口部２３から取り外すことができるようになるためのトルク、すなわち解除トルクＢよりも、小さくなるように設定されている。ここで、ロック機構３５による係合トルクＡは、例えば２０Ｎ・ｃｍ２と設定されており、このロック機構３５の解除トルクＢは、例えば８０Ｎ・ｃｍ２と設定されている。
【００２３】
また、内キャップ３の周面部３２の外周面３２ｂの上側が縮径されて、この外周面３２ｂの幅方向の中間位置に膨らみ部３２ｃが形成されており、この膨らみ部３２ｃより上側の縮径された外周面３２ｂの上端部に、締め込み・取り外し防止手段としての内キャップ締め込みラチェット機構３７の一方を構成する内キャップ側ラチェット部材３８が形成されている。この内キャップ側ラチェット部材３８は、図３(b)および図３(c)に示すように、外周面３２ｂの周方向に亘って設けられている。図示された例では、傾斜面３８ｃと垂直面３８ｂが連続した三角形の波形が周方向に連続して多数形成されている。この垂直面３８ｃと外キャップ側に設けられた部材の係合面が当接してラチェット係合が形成される。本実施例では、時計回りが螺合方向であるので、平面視である図３（ｃ）では、傾斜の登り方向は反時計回りに形成されている。この内キャップ側ラチェット部材は、外キャップに設けられた部材と係合して、外キャップの締め込み方向への操作によって、係合し、反対方向への回動操作によって係合が解かれる内キャップ締め込みラチェット機構３７の構造となっている。
内キャップ側ラチェット部材３８の上側には、この内キャップ側ラチェット部材より内側に位置する円筒状の縮径部３２ｄが設けられており、この縮径部３２ｄの上側に上面部３１が設けられている。この上面部３１には、連通孔３１ａから上方に突出しているステムの外周を覆う突出鞘筒部３９が設けられている。この突出鞘筒部３９は、周面部３２より縮径されて形成されており、この突出鞘筒部３９の外周面３９ａおよび内周面３９ｂのそれぞれは、図３(c)に示すように、径方向断面多角形状、例えば径方向断面正八角形状に形成されている。さらに、突出鞘筒部３９の外周面３９ａの上端部および下端部には、抜け止めリブ３９ｃが周方向に亘って環状にそれぞれ設けられている。これら抜け止めリブ３９ｃは、ストッパ６の軸方向の幅寸法ほど離間された位置にそれぞれ設けられており、突出鞘筒部３９の外周面３９ａから径方向に突出して設けられている。
【００２４】
＜ポンプ＞
ポンプ４は、容器２内からチューブを介して移送される液体Ｌを吐出するためのものであって、図４に示すように、シリンダ部としてのポンプ本体４１の上端から内管としてのステム４２の上端側の一部を突出させて構成されている。このポンプ４は、図１(a)に示すように、内キャップ３の連通孔３１ａに挿通されて取り付けられており、内蔵ばね機構（図示せず）によって上方から付勢された状態で下方に移動可能にポンプ本体４１に下端側が挿通されたステム４２の少なくとも一部、すなわち上端側を内キャップ３の連通孔３１ａより上方に突出させて、この内キャップ３の突出鞘筒部３９によって覆われた状態に取り付けられている。ポンプ本体４１の下端には、容器２に収容された液体Ｌをより残すことなく吐出させるためのチューブ状の吸い込みチューブ（図示せず）が取り付けられ、このポンプ本体４１の上端側には、このポンプ本体４１の径方向に突出した円環状の取付リブ４３が設けられている。この取付リブ４３は、ポンプ４の上側に内キャップ３を取り付けた際に、この内キャップ３の周面部３２内に挿入され、この内キャップ３の係止凹部３４に係止されて位置決め固定させて保持させるものである。また、ステム４２のポンプ本体４１の上端から突出している部分が、内キャップ３の突出筒部にて覆われる円筒状の軸状部４４として形成されており、この軸状部４４の上端側には、この軸状部４４より径小な円筒状のヘッド取付部４５が設けられている。このヘッド取付部４５の外周面４５ａには、この外周面４５ａの周方向に亘って設けられたリング状、すなわち環状の膨出部としての凸状部４５ｂが一体的に設けられている。この凸状部４５ｂは、所定の間隔を介して外周面４５ａの上端側および下端側のそれぞれに平行に設けられ、押圧ヘッドとシールされて密着状態に嵌合する。
【００２５】
＜押下ヘッド＞
押下ヘッド５は、例えばポリプロピレン（polypropylene：ＰＰ）等の素材にて形成されており、図１に示すように、ポンプ４のステム４２の上端に密着挿嵌される。押下ヘッド５は、図５(a)および図５(b)に示すように、外殻体５１とノズル５５から構成されている。
外殻部５１は、上端を構成する頂壁部５２と、頂壁部５２の周縁から下方に突出し外殻部５１の周面を構成する略円筒状の周壁部としての周面部５３とを有している。この周面部５３の内周面５３ａは、内キャップ３の突出鞘筒部３９が嵌合され、この突出鞘筒部３９の周方向への回転が規制されるように、径方向断面多角形状、例えば径方向断面正八角形状に形成されている。ここで、この周面部５３および内キャップ３の突出鞘筒部３９は、これら周面部５３の内周面５３ａおよび突出鞘筒部３９の外周面３９ａのそれぞれが径方向断面正八角形状であることから、押下ヘッド５と内キャップ３とを相対的に周方向に回転させようとした場合に、ある程度の力を入れることによって、これら周面部５３の内周面５３ａおよび突出鞘筒部３９の外周面３９ａの各角部が乗り越えられ、周方向への回転規制が解除されるように構成されている。
そして、周面部５３の内側には円筒状の装着筒部５４が同心状に設けられており、この装着筒部５４は、この装着筒部５４の上端側が頂壁部５２の下面５２ａに連結されて取り付けられている。よって、装着筒部５４と周面部５３との間には、下方に向けて開口した円筒状の嵌入凹部５４ａが設けられている。この嵌入凹部５４ａは、外周面が径方向断面製八角形状に形成され、内周面が径方向断面円形状に形成されている。
また、外殻部５１の周面部５３には、この周面部５３の径方向に向けて突出した細長円筒状のノズル部５５が設けられており、ノズル部５５の先端部には円形の吐出孔５５ａが開口されている。吐出孔５５ａは、ノズル部５５を介して装着筒部５４の内側に連通しており、ポンプ４にて容器２内から移送される液体Ｌを外部へ吐出させるための開口部である。
【００２６】
＜ストッパ＞
ストッパ６は、例えばポリプロピレン（polypropylene：ＰＰ）等の素材にて形成され、図１に示すように、押下ヘッド５と内キャップ３の上面部３１との間に介在して位置する、内キャップ３の突出鞘筒部３９に取り外し可能に取り付けられている。すなわち、このストッパ６は、押下ヘッド３の押し下げを阻止する押下ロックとしての頸部カーラーであって、図６に示すように、突出鞘筒部３９に外嵌合させて取り付けることができるように、内周面６１ａおよび外周面６１ｂのそれぞれが径方向断面多角形状、例えば径方向断面八角形状に形成されている。さらに、ストッパ６１は、内キャップ３の突出鞘筒部３９の抜け止めリブ３９ｃ間に取り付けられており、上側に位置する抜け止めリブ３９ｃによるストッパ６１の上側縁の係止によって、ポンプ４のステム４２から押下ヘッド５を取り外した状態における、このストッパ６の上方への抜けが防止されている。
具体的に、ストッパ６は、一部が拡開された径方向断面八角形状である略筒状の本体部６１を有しており、この本体部６１の周面の一部が開口されて挿通開口６２が設けられて略Ｃ字状に形成されている。この挿通開口６２は、本体部６１の径方向断面八角形のうちの二辺が取り除かれた形状に形成されており、本体部６１の中心を基準として約９０°の角度に開口されている。さらに、挿通開口６２の両側縁には、これら両側縁を通過する径方向に向けて突出した案内リブ６３がそれぞれ設けられている。これら案内リブ６３は、内キャップ３の突出鞘筒部３９にストッパ６を取り付ける際に、この突出鞘筒部３９にて各案内リブ６３が押され、ストッパ６の挿通開口６２をより容易に弾性変形させて拡開させ、このストッパ６の本体部６１への突出鞘筒部３９の嵌合を容易にさせるとともに、この突出鞘筒部３９からストッパ６を取り外す際において、これら案内リブ６３を押すことによってストッパ６の挿通開口６２が容易に弾性変形されて拡開され、このストッパ６の突出鞘筒部３９からの取り外しを容易にさせるものである。
【００２７】
＜外キャップ＞
外キャップは、内キャップに被冠する本体部とストッパを覆うカバー部から構成されている。外キャップ７は、例えばポリプロピレン（polypropylene：ＰＰ）等の素材にて形成されており、密閉容器１１の未使用状態を保持するとともに、この未使用状態への復帰を防止するための外バージンキャップであって、図１に示すように、容器２の口部２３に取り付けられた内キャップ３を覆い、この内キャップ３の突出鞘筒部３９に取り付けられたストッパ６の取り外しを防止するものである。
具体的に、外キャップ７は、図７(a)〜図７(d)に示す。（ａ）は底面図、（ｂ）側面図、（ｃ）は平面図、（ｄ）は中央縦断面図であって、図示は奥側内面が表現されている。内キャップ３の周面部３２に外嵌合される本体部としての略円筒状のキャップ本体７１を備えており、キャップ本体７１の上側に内キャップ３の突出鞘筒部３９を覆う挿通孔７１ａが開口されている。また、キャップ本体７１の周面を構成する周壁部としての周面部７１ｂの内周面７１ｃの中間部には、内キャップ３に外嵌合させた際に、この内キャップ３の膨らみ部３２ｃに押圧されて密着する拡幅凹部７１ｄが、内周面７１ｃの周方向に亘って設けられている。
また、拡幅凹部７１ｄより上側の内周面７１ｃには、内キャップ３に外嵌合させた際に、この内キャップ３の内キャップ側ラチェット部材３８に係合される外キャップ側ラチェット部材７２が、この内周面７１ｃの周方向に亘って設けられている。この外キャップ側ラチェット部材７２は、内キャップ３の内キャップ側締め込みラチェット部材３８とにより、ラチェット機構３７を形成して、締め込み方向に機能するものである。図７(a)および図７(d)に示すように、形成されている垂直面を有する三角形状のラチェット歯と内キャップに設けられているラチェット部材３８の垂直面３８ｂが当接してラチェット係合するように形成される。この外キャップに設けられるラチェット部材は、傾斜面７２ａと垂直面７２ｂによって形成される三角形状の波形が内周面７１ｃの周方向に亘って多数設けられている。三角形状は内キャップのラチェット部材の上方から係合する向きに形成されている。すなわち垂直面７２ｂが内キャップの３８ｂに当接して係合して螺合方向に力が機能する構造に形成されている。ちなみに、螺合を解く方向に外キャップを回動させた場合は、傾斜面７２ａは、内キャップの傾斜面３８ａが接触して、係合トルクが小さくなりラチェット係合が解除される。
すなわち、外キャップ側ラチェット部材７２は、外キャップ７のキャップ本体７１を内キャップ３の周面部３２に外嵌合させて、内キャップ側ラチェット部材３８に係合させることにより、容器２の雄ねじ２４に対する内キャップ３の雌ねじ３３による螺合の解除、すなわち取り外しを防止する。
具体的に、内キャップ３側のラチェット部材３８の垂直面３８ｂと外キャップ７の外キャップ側ラチェット部材７２のラチェット歯７２ｃの垂直面７２ｂとが当接して、例えば５０Ｎ・ｃｍ２のラチェット係合力としての係合トルクＣで係合し、この外キャップ７の回動操作が内キャップ３を回転して、容器２の雄ねじ２４への内キャップ３の雌ねじ３３の螺合を進める。これに対して螺合を解除させる方向に向けて外キャップ７を回転させた場合に、これら内キャップ３の内キャップ側ラチェット部材３８の各ラチェット歯３８ｃの傾斜面３８ａと外キャップ７の外キャップ側ラチェット部材７２の各ラチェット歯７２ｃの傾斜面７２ａとが当接して係合せず、例えば２０Ｎ・ｃｍ２の空転トルクＤにて、外キャップ７を空回りさせる。なお、図７及び図３に例示したラチェット歯３８ｃ及び７２ｃは、傾斜面３８ａ、７２ａと垂直面３８ｂ、７２ｂと表されているが、締め込み方向のトルクと逆方向のトルクが所期の設定が得られるように両面の傾斜角度を設計することができる。
係合トルクの強さの関係は、内キャップが螺合終端部において形成される逆転ロック防止機構の生成力よりも大きく、逆転ロック生成後のロック強さよりも小さく形成される。これによって、外キャップを回動して内キャップを操作して、吐出器を容器頸部に装着した後は、外キャップを逆転しても、内キャップは回動せず、吐出器が容器から外れることはない。
さらに、外キャップ側ラチェット部材７２より上側の内周面７１ｃの上端部には、内キャップ３の縮径部３２ｄの上端縁が嵌合する嵌合段部７３が、内周面７１ｃの周方向に亘って設けられている。また、内周面７１ｃの下端部には、内キャップ３の周面部３２に外嵌合させた際に、この内キャップ３の周面部３２の下端縁に係合する係合部としての係合リブ７４が設けられている。この係合リブ７４は、外キャップ７を内キャップ３に外嵌合させて取り付けた状態において、この外キャップ７の上下方向の抜けを防止する食い切り嵌合部である。
具体的に、係合リブ７４は、キャップ本体７１の内周面７１ｃの周方向に亘って設けられており、上側が径方向に沿った垂直面７４ａに形成され、下側が下方に向けて徐々に縮径するテーパ状の傾斜面７４ｂに形成されている。また、係止リブ７４より上側の内周面７１ｃには、キャップ本体７１の軸方向に沿って突出した細長状の複数の保持リブ７５が設けられている。保持リブ７５は、内キャップの膨らみ部３２に圧接して密着する機能を果たす。これら保持リブ７５は、内周面７１ｃの周方向に等間隔に離間されて設けられており、この内周面７１ｃの軸方向における中間位置までに亘って設けられている。
【００２８】
一方、外キャップ７のキャップ本体７１の上側には、略円筒状のカバー部としての被覆筒部７６が同心状に延出されて突設されている。この被覆筒部７６は、キャップ本体７１の周面部３２より縮径されて形成されており、外キャップ７のキャップ本体７１を内キャップ３の周面部３２に外嵌合させて取り付けた際に、この内キャップ３の突出鞘筒部３９に取り付けられたストッパ６の周囲を覆い、このストッパ６を突出鞘筒部３９から取り外すことができないようにするものであって、キャップ本体７１の挿通孔７１ａに連通して設けられている。そして、この被覆筒部７６の周面部７６ｂには、この周面部７６ｂの一部が縦方向に切り欠かれた切欠部としての開放部７６ｃが形成されている。この開放部７６ｃは、押下ヘッド５が取り付けられている側から外キャップ７を内キャップ３に取り付ける際に、この押下ヘッド５のノズル部５５が被覆筒部７６に接触して通過できなくなることを防止するもので、この押下ヘッド５のノズル部５５の外径寸法の約２倍の幅寸法に形成されている。すなわち、この開放部７６ｃは、押下ヘッド５のノズル部５５が挿入されるようにした状態で、外キャップ７の下端側を押下ヘッド５のノズル部５５側から挿通させた場合に、この押下ヘッド５のノズル部５５による被覆筒部７６の周面部７６ａへの接触が回避され、この外キャップ７を内キャップ３に取り付け可能にする。
また、開放部７６ｃの対向する一対の側片部７６ｄのうちの、内外キャップのラチェット部材３８とラチェット部材７２が係合する側に位置する側片部７６ｄには、折り曲げ片７７が設けられている。この折り曲げ片７７は、側片部７６ｄの先端が径方向に湾曲されてから折り曲げられて外側に延出されて形成された片状の摘み片である。すなわち、折り曲げ片７７は、この折り曲げ片７７を摘んで把持して径方向に引っ張りつつ周方向に引っ張ることによって、外キャップ７のキャップ本体７１から被覆筒部７６を容易に切り離すことができるようにするための操作部であって、使用状態において破棄されるものである。さらに、折り曲げ片７７が設けられている側のキャップ本体７１と被覆筒部７６との間には、開放部７６ｃの折り曲げ片７７が設けられている側の側片部７６ｄに連続した溝状のスリット７７ａが設けられている。スリット７７ａは、折り曲げ片７７を把持してキャップ本体７１から被覆筒部７６を切り離す際に、これらキャップ本体７１と被覆筒部７６との間に容易に湾曲させることができるものである。また、キャップ本体７１と被覆筒部７６との間には、このスリットから連続するミシン目などの脆弱部７７ｂが形成されている。折り曲げ片７７を外側に折り曲げた力がスリット７７ａからスムーズに脆弱部７７ｂに伝えられて、このキャップ本体７１からの被覆筒部７６の周方向に沿った切り離しを容易にできる。なお、スリットは、必ずしも必要はなく、脆弱部のみでも良い。
外キャップ７は、この外キャップ７を覆う外側のキャップ本体７１の周面部７１ｂの上端縁より上側が上抜き金型（図示せず）とされ、この周面部７１ｂの上端縁より下側が下抜き金型（図示せず）とされ、この外キャップ７の内側が縮径可能な縮径金型（図示せず）とすることによって成型できるように構成されている。
【００２９】
＜未使用状態の装着関係＞
本一実施例の吐出器１を容器２に取り付けた未使用状態における係合関係について説明する。未使用状態（バージン状態）においては、図１に示すように、容器２の口部２３にポンプ４のポンプ本体４１の下端側が挿入されて取り付けられており、このポンプ本体４１の上端側は、内キャップ３の下端側から挿入されて取り付けられている。このとき、このポンプ本体４１の取付リブ４３が、内キャップ３の係止凹部３４に係止され位置決め固定されているとともに、このポンプ本体４１の上端から突出しているステム４２の軸状部４４が内キャップ３の突出鞘筒部３９に挿通されて覆われ、このステム４２のヘッド取付部４５が内キャップ３の突出鞘筒部３９より上方に突出した状態とされている。また、内キャップ３の周面部３２の雌ねじ３３が容器２の雄ねじ２４に螺合されて取り付けられており、この容器２の各係止片２６の中心片２６ａが内キャップ３の係止ラチェット３６のいずれかのラチェット歯３６ｃに係止されてロック機構３５にてロックされている。そして、ポンプ４のステム４２のヘッド取付部４５が押下ヘッド５の装着筒部５４に嵌合されて、このステム４２の上端に押下ヘッド５が取り付けられている。このとき、この押下ヘッド５の周面部５３と装着筒部５４との間の嵌入凹部５４ａに内キャップ３の突出鞘筒部３９の上端側が挿入され上下方向に摺動可能とされている。
さらに、内キャップ３の突出鞘筒部３９の抜け止めリブ３９ｃ間にストッパ６が取り付けられており、押下ヘッド３の押し下げが阻止されている。このストッパ６は、このストッパ６の本体部６１内に内キャップ３の突出鞘筒部３９が挿通された状態に嵌合されて取り付けられている。そして、内キャップ３の周面部３２に外キャップ７のキャップ本体７１が外嵌合されて取り付けられている。このとき、この外キャップ７１の嵌合段部７３に内キャップ３の縮径部３２ｄの上端縁が嵌合されているとともに、この外キャップ７の拡幅凹部７１ｄに内キャップ３の膨らみ部３２ｃが密着し、さらに外キャップ７の係合リブ７４が内キャップ３の周面部３２の下端縁に係合して、この内キャップ３が抜け止め保持されている。また、内キャップ３のラチェット部材３８の各ラチェット歯３８ｃの傾斜面３８ａと外キャップ７のラチェット部材７２の各ラチェット歯７２ｃの傾斜面７２ａとが当接するように噛み合わされて係合されている。そして、この外キャップ７の被覆筒部７６によって、内キャップ３の突出鞘筒部３９に取り付けられたストッパ６が略周方向に亘って覆われて、このストッパ６を取り外すことができないようにカバーされているととともに、この外キャップ７の被覆筒部７６の開放部７６ｃに押下ヘッド５のノズル部５５が挿通されて取り付けられている。
【００３０】
図１２にしたがって、吐出器１の組み立て工程を説明する。
図１２（ａ）において、内キャップ３とポンプ４を準備し、（ｂ）において、ポンプ４の上方から内キャップ３を挿入して固定し、（ｃ）において押下ヘッド５をステムに載せ、内キャップの突出鞘筒３９の上縁を押下ヘッドの下方に設けられた嵌入凹部に挿入したのち、押下ヘッド５を下方に押し込むことによって、ステムを下限まで押し下げた状態でさらに押し込むことによりステムの上端をヘッドのステム挿入孔に挿管する。（ｄ）においてストッパ６を押下ヘッド下方に突出鞘筒部３９を覆うように装着する。これによって、押下ヘッドの押し下げはできなくなる。（ｅ）において外キャップ７を準備する。（ｆ）において、内径の大きな外キャップ本体７１を押下ヘッドのノズルから挿通し、径の細い被覆筒部７６では下方部７６ｃの開放空間にノズルを臨ませて通過させて内キャップ３に被冠させて、吐出器１の組み立てを完了する。
【００３１】
図１３にしたがって、吐出器１と容器２の組み立て工程を説明する。
ボトル容器本体２１と口頚部を備えた容器２と吐出器１を準備する。吐出器１のポンプ本体４１を容器２の口部２３に挿入し、内キャップの雌ネジを容器の頸部に設けた雄ねじ２２に当接する。この状態から、外キャップ７を締め込み方向に回転して、ラチェットを介して内キャップを操作し、内キャップの雌ネジと容器頸部の雄ねじに螺着する。螺合回転終点において、逆転防止のロックが完成する。外キャップの下縁は係止リブ２５に係合して上方への移動が阻止される。外キャップと内キャップに形成されるラチェット機構は、締め込み回動方向が係合し、逆転方向が空転となる構成とされる。ラチェットの係合強さは、内キャップと容器頸部の間に形成される逆転防止ロック機構のロック生成強さよりも大きく設定される。空転方向の強さではこの逆転防止ロックを破壊するほどの強さを発揮することはない。
【００３２】
本一実施例の吐出器の組み立て方法についてさらに詳細に説明する。図８に示すように、図４に示すポンプ４の上端側に内キャップ３の下端側が外嵌合されるように、この内キャップ３の連通孔３１ａにポンプ４の上端側を挿通させ、この内キャップ３の係止凹部３４にポンプ４のポンプ本体４１の取付リブ４３を係止させて位置決め固定させる。このとき、この内キャップ３の突出鞘筒部３９によってポンプ４のステム４２の軸状部４４が周方向に亘って覆われ、このステム４２のヘッド取付部４５が内キャップ３の突出鞘筒部３９より上方へ突出した状態となる。この状態から、図９に示すように、ポンプ４のステム４２のヘッド取付部４５に押下ヘッド５の装着筒部５４が内嵌合されるように、このポンプ４のステム４２の上端側にステム挿入孔５６に位置合わせして押下ヘッド５を押し付ける。このとき、このポンプ４のステム４２が内蔵ばね機構の弾性力に抗して内キャップ３の突出鞘筒部３９内へと入り込んでいき、この内キャップ３の突出鞘筒部３９が押下ヘッド５の嵌入凹部５４ａに嵌合されて摺動案内されるが、さらに、このステム４２のヘッド取付部４５が押下ヘッド５の装着筒部５４に内嵌合されて取り付けられる位置まで、この押下ヘッド５をステム４２の上端部に押し付けて、このステム４２の上端に押下ヘッド５を取り付ける。この後、この押下ヘッド５を押し下げ操作し、ポンプ４による液体Ｌの吐出量およびリーク等を確認する。
そして、押下ヘッド５を押し下げ操作していない状態、すなわち内キャップ３の突出鞘筒部３９が押下ヘッド５の嵌入凹部５４ａにほぼ嵌入されていない状態で、図１０に示すように、この内キャップ３の突出鞘筒部３９の横方向からストッパ６を外嵌合させて、この突出鞘筒部３９の抜け止めリブ３９ｃ間にストッパ６を取り付けて、この押下ヘッド５を押し下げ操作できないようにする。このとき、内キャップ３の突出鞘筒部３９に設けられた上側の抜け止めリブ３９ｃによって、ストッパ６の上方への抜けが防止された状態となる。なお、このストッパ６の軸方向を突出鞘筒部３９の軸方向に沿わせ、このストッパ６の一対の案内リブ６３間に突出鞘筒部３９を当接させた状態で、このストッパ６を突出鞘筒部３９に押し付けることによって、このストッパ６の本体部６１が弾性変形して挿通開口６２が拡開され、このストッパ６の本体部６１内に突出鞘筒部３９が嵌合されて取り付けられる。
この状態から、押下ヘッド５のノズル部５５が外キャップ７の被覆筒部７６の開放部７６ｃに入り込み、この押下ヘッド５のノズル部５５による被覆筒部７６の周面部７６ｂへの接触が回避されるように外キャップ７の開放部７６ｃを所定の角度、例えば２２．５°下方に向けて傾けた状態とし、この外キャップ７のキャップ本体７１の下端側を押下ヘッド５のノズル部５５から嵌合させていく。このとき、図１(b)に示すように、この外キャップ７の被覆筒部７６の開放部７６ｃに押下ヘッド５のノズル部５５を嵌入させて入り込ませながら、この外キャップ７のキャップ本体７１が内キャップ３の周面部３２に外嵌合されるように、この外キャップ７を徐々に回転させて垂直にしながら、この外キャップ７のキャップ本体７１を内キャップ３の周面部３２に外嵌合させるとともに、この外キャップ７の係合リブ７４を内キャップ３の周面部３２の下端縁に係合させて抜け止め保持させて打栓する。このとき、この外キャップ７１の嵌合段部７３に内キャップ３の縮径部３２ｄの上端縁が嵌合され、この外キャップ７の拡幅凹部７１ｄに内キャップ３の膨らみ部３２ｃが密着して係止され、さらに、この内キャップ３のラチェット部材３８の各ラチェット歯３８ｃの傾斜面３８ａと外キャップ７のラチェット部材７２の各ラチェット歯７２ｃの傾斜面７２ａとが噛み合わされて係合される。また、この外キャップ７の被覆筒部７６によって、内キャップ３の突出鞘筒部３９に取り付けられたストッパ６が略周方向に亘って覆われ、このストッパ６を取り外すことができないようにカバーされる。
さらにこの状態から、液体Ｌが所定量充填されて収容された容器２の口部２３に、ポンプ４のポンプ本体４１の下端側を挿入していき、この容器２の頸部２２に内キャップ３を外嵌合させてから、外キャップ７を回転させて、この内キャップ３の雌ねじ３３を容器２の雄ねじ２４に螺合させていき、この内キャップ３の係止ラチェット３６のいずれかのラチェット歯３６ｃに容器２の各係止片２６の中心片２６ａを係合させてロック機構３５にてロックさせて、図１(a)に示す未使用状態の密閉容器１１とする。このとき、内キャップ３のラチェット部材３８と外キャップ７のラチェット部材７２とにて構成されたラチェット機構３７によって、外キャップ７を介して内キャップ３の雌ねじ３３と容器２の雄ねじ２４との螺合を解除させる方向への回転ができないようにされ、この内キャップ３の容器２の口部２３からの取り外しが防止されている。
【００３３】
＜使用時＞
本一実施例の吐出器１の使用方法について説明する。図１(a)および図１(b)に示す未使用状態の密閉容器１１の吐出器１を、押下ヘッド５の押し下げ操作によって、この押下ヘッド５の吐出孔５５ａから液体Ｌを所定量ずつ吐出させることができる通常の使用状態にする場合には、外キャップ７の折り曲げ片７７に指等を掛けて摘む等して、この折り曲げ片７７を外キャップ７のキャップ本体７１から引き離していき、この外キャップ７の被覆筒部７６を脆弱部７７ｂに沿って周方向に切り離し、この被覆筒部７６を外キャップ７のキャップ本体７１から取り除く。このとき、外キャップ７の被覆筒部７６がキャップ本体７１から取り除かれたことによって、ストッパ６を内キャップ３の突出鞘筒部３９から径方向に取り外すことができる状態となり、このストッパ６を取り外す方向に案内リブ６３を押す等することによって、このストッパ６の本体部６１が弾性変形して挿通開口６２が拡開され、このストッパ６が内キャップ３の突出鞘筒部３９から取り外される。この結果、このストッパ６が内キャップ３の突出鞘筒部３９から取り外されたことにより、押下ヘッド５を押し下げ操作できる状態となり、この押下ヘッド５を押し下げ操作することによって、容器２に収容された液体Ｌをポンプ４による汲み上げ動作によって所定量ずつ押下ヘッド５の吐出孔５５ａから吐出させて使用できる状態となる。
【００３４】
＜未使用下における押圧ヘッドの再装着防止＞  
未使用状態の密閉容器１１の吐出器１から押下ヘッド５を引っ張る等して、この押下ヘッド５をポンプ４のステム４２の上端から強引に取り外すことによって、この押下ヘッド５が取り付けられたステム４２の上端から液体Ｌを取り出すことも想定される。ただし、この場合においては、押下ヘッド５をステム４２の上端から取り外した後、この押下ヘッド５をステム４２の上端に押し付けて再度取り付けようとすると、このステム４２が内蔵ばね機構の弾性力に抗して内キャップ３の突出鞘筒部３９内へ入り込んでしまい、この押下ヘッド５をステム４２の上端に取り付けることができる位置までステム４２を押し下げる前に、押下ヘッド５の周面部５３の下端がストッパ６の本体部６１の上端に接触してしまい、この押下ヘッド５をさらに押し下げることができなくなるため、この押下ヘッド５をステム４２の上端に再度取り付けることができず、未使用状態に戻すことができない。さらに、押下ヘッド５をステム４２の上端から取り外した場合においては、内キャップ３の突出鞘筒部３９に設けた上側の抜け止めリブ３９ｃによって、この突出鞘筒部３９に取り付けられたストッパ６を上方へ抜くことができないから、このストッパ６を抜いてからステム４２の上端に押下ヘッド５を再度取り付け、この押下ヘッド５を押し下げ操作できる状態にすることもできない。
【００３５】
＜未使用下における内キャップの取り外し防止＞  
未使用状態の密閉容器１１の吐出器１の内キャップ３を容器２の口部２３から取り外し、この容器２の口部２３から容器２内の液体Ｌを取り出そうとした場合には、この内キャップ３に外嵌合されて外キャップ７が取り付けられているため、この外キャップ７を介して容器２の雄ねじ２４に対する内キャップ３の雌ねじ３３の螺合を解除させる方向に内キャップ３を回転しなければならず、この場合には、内キャップ３のラチェット部材３８の各ラチェット歯３６ｃの傾斜面３６ａと外キャップ７のラチェット部材７２の各ラチェット歯７２ｃの傾斜面７２ａとが当接し、これらラチェット３８部材の各ラチェット歯３６ｃと外キャップ７のラチェット部材７２の各ラチェット歯７２ｃとが係合せず、外キャップ７が空回りする状態となるから、内キャップ３を容器２の口部２３から外すことができない。これに対し、外キャップ７を介して容器２の雄ねじ２４に内キャップ３の雌ねじ３３を螺合させる方向に内キャップ３を回転させる場合には、この内キャップ３のラチェット部材３８の各ラチェット歯３６ｃの垂直面３６ｂと外キャップ７のラチェット部材７２の各ラチェット歯７２ｃの垂直面７２ｂとが当接し、両部材のラチェット歯が係合した状態となるから、この外キャップ７とともに内キャップ３を回転でき、容器２の口部２３に内キャップ３をより確実に螺合させて取り付けることができる。
【００３６】
＜バージン維持機能＞
本一実施例は、吐出器１の押下ヘッド５の押し下げ操作を防止するストッパ６が内キャップ３の突出鞘筒部３９に取り付けられ、このストッパ６が外キャップ７の被覆筒部７６にて覆われており、この外キャップ７のキャップ本体７１を内キャップ３の周面部３２に外嵌合させた状態が、この外キャップ７の係合リブ７４による内キャップ３の周面部３２の下端縁への係合によって抜け止め保持され、かつ内キャップ３と外キャップ７との間に形成したラチェット機構３７によって、容器２の口部２３からの内キャップ３の取り外しが防止されている。このため、未使用状態においては、内キャップ３から外キャップ７を取り外すことができず、少なくとも外キャップ７の被覆筒部７６を取り除く等して、ストッパ６を取り外し可能な状態にし、このストッパ６を内キャップ３の突出鞘筒部３９から取り外さなければ、押下ヘッド５を押し下げ操作して、容器２に収容されている液体Ｌを押下ヘッド５の吐出孔５５ａから吐出させることができない。このとき、外キャップ７の被覆筒部７６を取り除く等して、ストッパ６を取り外し可能な状態にした場合には、この外キャップ７の被覆筒部７６を取り除く等する前の未使用状態に戻すことができないから、未使用状態におけるストッパ６の取り外し、および内キャップ３の取り外しを確実に防止でき、未使用状態における容器２からの液体の抜き出し、いわゆる試し使用を確実に防止できるとともに、未使用状態の保持を確実にできる。
特に、内キャップ３と外キャップ７との間に形成したラチェット機構３７が、外キャップ７を介して容器２の雄ねじ２４に内キャップ３の雌ねじ３３を螺合させる方向に内キャップ３を回転させる場合に、内キャップ３のラチェット部材３８の各ラチェット歯３６ｃの垂直面３６ｂと外キャップ７のラチェット部材７２の各ラチェット歯７２ｃの垂直面７２ｂとが当接し、両者の各ラチェット歯が係合した状態となり、この外キャップ７とともに内キャップ３を回転でき、容器２の頸部２２に内キャップ３をより確実に螺合させて取り付ける操作を可能にする。一方、このラチェット機構３７は、外キャップ７を介して容器２の雄ねじ２４に対する内キャップ３の雌ねじ３３の螺合を解除させる方向に内キャップ３を回転する場合には、内キャップ３のラチェット部材３８の各ラチェット歯３８ｃの傾斜面３８ａと外キャップ７のラチェット部材７２の各ラチェット歯７２ｃの傾斜面７２ａとが当接し、これら各ラチェット歯が係合しない状態となり、外キャップ７を空回りさせる。このため、外キャップ７を介して内キャップ３を容器２の口部２３から取り外すことができず、この外キャップ７を内キャップ３から取り外す等しなければ、この内キャップ３の雌ねじ３３による容器２の雄ねじ２４への螺合を解除させて、この内キャップ３を容器２の口部２３から取り外すことができない。
【００３７】
また、未使用状態の密閉容器１１の外キャップ７のストッパカバーである被覆筒部７６を脆弱部７７ｂに沿って切り離した後は、この外キャップ７を切り離す前の未使用状態に戻すことができなくなるため、未使用状態の密閉容器１１の保持をより確実にできるとともに、一旦使用状態にした後の未使用状態への復帰を確実に防止できる。
さらに、容器２の頸部２２に設けた係止片２６と内キャップ３の係止ラチェット３６とにてロック機構３５を形成し、容器２の雄ねじ２３に内キャップ３の雌ねじ３３を螺合させる方向へ回転させた場合における外キャップ７と内キャップ３との間のラチェット機構３７による係合トルクＣを、容器２の雄ねじ２３に内キャップ３の雌ねじ３３を螺合させる際のロック機構３５の係合トルクＡより大きく設定されており、ラチェット機構３７の非係合トルクは、このロック機構３５に抗して内キャップ３の雌ねじ３３による容器２の雄ねじ２４への螺合を解除させる際の解除トルクＢより小さく設定される。容器２の雄ねじ２４に内キャップ３の雌ねじ３３を螺合させる方向へ外キャップ７を回転させた場合に、この外キャップ７とともに内キャップ３を回転でき、容器２の係止片２６と内キャップ３の係止ラチェット３６とを係合させてロック機構３５にてロックさせて抜け止め保持できる。また同時に、容器２の雄ねじ２４に内キャップ３の雌ねじ３３を螺合させて、この容器２の係止片２６を内キャップ３の係止ラチェット３６に係合させてロック機構３５にてロックさせる場合に比べ、この容器２の雄ねじ２４に対する内キャップ３の雌ねじ３３の螺合を解除させて、この内キャップ３を容器２の口部２３から取り外しにくくできる。したがって、トルクバランスによって、容器２の口部２３からの内キャップ３の取り外しをより確実に防止できる。
【００３８】
＜残量僅少化、ノズル方向規定＞
また、内キャップ３の突出鞘筒部３９の外周面３９ａおよび押下ヘッド５の周面部５３の内周面５３ａのそれぞれを、径方向断面八角形状に形成したことにより、押下ヘッド５の取り付け向きを位置決めすることが可能になる。このため、この押下ヘッド５の取り付け向きを位置決めすることによって、容器２に方向性を持たせることができ、容器２の正面および背面等を決定できるから、この容器２へのラベル等の貼り付け位置を特定できるとともに、複数の容器２を陳列等した際にすべての押下ヘッド５の向きを一方向に容易に揃えることができ、これら容器２を陳列等した際の美観を向上できる。また同時に、これら内キャップ３の突出鞘筒部３９の外周面３９ａ、および押下ヘッド５の周面部５３の内周面５３ａのそれぞれを、径方向断面八角形状に形成したことにより、突出鞘筒部３９と嵌入凹部５４ａとの嵌合によって、小さな力を加えただけでは押下ヘッド５を周方向に回転できず、ある程度の大きな力を加えた場合にのみ突出鞘筒部３９と嵌入凹部５４ａとの嵌合がずれて押下ヘッド５を周方向に回転できるから、ポンプ４のポンプ本体４１の下端に取り付けられる吸い込みチューブの位置に対応させて押上ヘッド５の取り付け向きを調整することによって、容器２に収容されている液体Ｌをより確実に残すことなく吐出させることができ、使用状態における吐出器１の使い勝手を向上できる。また、ストッパ６の本体部６１の内周面６１ａを径方向断面八角形状としたことにより、このストッパ６を内キャップ３の突出鞘筒部３９に嵌合させて取り付けた場合に周方向が位置決めされ、このストッパ６の周方向への回転を防止できる。なお、内キャップ３の突出鞘筒部３９の外周面３９ａ、および押下ヘッド５の周面部５３の内周面５３ａとしては、所定の力を加えた場合に突出鞘筒部３９と嵌入凹部５４ａとの嵌合がずれて押下ヘッド５を周方向に回転できるようにするため、径方向断面六角形以上の多角形に形成することが好ましい。
【００３９】
さらに、内キャップ３の突出鞘筒部３９に設けられた抜け止めリブ３９ｃによって、ポンプ４のステム４２の上端から押下ヘッド５を取り外した状態における、ストッパ６の上方への抜きが防止されるため、このポンプ４のステム４２の上端から押下ヘッド５を取り外した状態においても、外キャップ７の被覆筒部７６によるカバーによってストッパ６を横方向に取り外すことができず、抜け止めリブ３９ｃによってストッパ６を上方へ抜くことができないから、押下ヘッド５をステム４の上端から取り外してからストッパ６を取り外した後に再度押下ヘッド５を取り付けて、この押下ヘッド５を押し下げ可能にすることを確実に防止でき、密閉容器１１の未使用状態の保持をより確実にできる。
また、ポンプ４のステム４２の軸状部４４が突出鞘筒部３９にて覆われており、この突出鞘筒部３９にストッパ６が取り付けられているため、押下ヘッド５をステム４２の上端から取り外し、このステム４２の上端から容器２に収容された液体Ｌを引き抜く等して試し使用等した後に、このステム４２の上端に押下ヘッド５を再度取り付けようとした場合に、このステム４２の上端が内キャップ３の突出鞘筒部３９内に入り込み、押下ヘッド５をステム４２の上端に取り付けることができる位置までステム４２を押し下げる前に、押下ヘッド５の周面部５３の下端がストッパ６の本体部６１の上端に接触してしまい、この押下ヘッド５をさらに押し下げることができず、この押下ヘッド５をステム４２の上端に再度取り付けることができないから、再度未使用状態に戻すことができない。このとき、押下ヘッド５をステム４２の上端から取り外した場合には、内キャップ３の突出鞘筒部３９に設けた上側の抜け止めリブ３９ｃによって、この突出鞘筒部３９に取り付けられたストッパ６を上方へ抜くことができないから、このストッパ６を上方に抜いてからステム４２の上端に押下ヘッド５を再度取り付け、この押下ヘッド５を押し下げ操作できる状態にすることもできない。したがって、密閉容器１１の未使用状態の保持をより確実にできるとともに、押下ノズル５を取り外して容器２から液体Ｌを取り出した後の未使用状態への復帰を確実に防止できる。
【００４０】
さらに、ポンプ４のステム４２のヘッド取付部４５の外周面４５ａに環状の凸状部４５ｂを一体的に設け、この凸状部４５ｂにてヘッド取付部４５による押下ヘッド５の装着筒部５４への嵌合を抜け止め保持しつつシールする構成としたことにより、ステム４２のヘッド取付部４５にＯリング等の別部材を取り付けて抜け止め保持する構造に比べ、部品点数を少なくでき、構成を簡略化できるとともに、ステム４２のヘッド取付部４５に押上ヘッド５を取り付けて組み立てた際に凸状部４５ａが削れたり潰れたり等して変形するため、このヘッド取付部４５から押下ヘッド５を一旦取り外した後、この押下ヘッド５をヘッド取付部４５に再度取り付けた際に、この押下ヘッド５が凸状部４５ａにて抜け止め保持されにくくなり、この押下ヘッド５をステム４２の上端から取り外すことによる容器２内の液体Ｌの試し使用をより確実に防止できる。そして、ポンプを自由に脱着できないので、ポンプを取り外して異物を混入することもできない。
また、外キャップ７を覆う外側のキャップ本体７１の周面部７１ｂの上端縁より上側を上抜き金型（図示せず）とし、この周面部７１ｂの上端縁より下側を下抜き金型（図示せず）とし、この外キャップ７の内側を縮径可能な縮径金型（図示せず）とすることによって、この外キャップ７を計３つの金型の組み合わせによって成形できるから、この外キャップ７の金型構成を簡単にでき、この外キャップ７の製造が容易にできる。
【符号の説明】
【００４１】
１  吐出器
１１  密閉容器
２  容器
２１  ボトル本体
２２  頸部
２２ａ  外周面
２３  口部
２４  雄ねじ
２５  係止リブ
２５ａ  上面
２６  係止片
２６ａ  中心片
２６ｂ  側片
２６ｃ  傾斜面
３  内キャップ
３１  上面部
３１ａ  連通孔
３２  周面部
３２ａ  内周面
３２ｂ  外周面
３２ｃ  膨らみ部
３２ｄ  縮径部
３３  雌ねじ
３４  係止凹部
３５  ロック機構
３６  係止ラチェット
３６ａ  傾斜面
３６ｂ  垂直面
３６ｃ  ラチェット歯
３７  内キャップ締め込みラチェット機構
３８  ラチェット部材
３８ａ  傾斜面
３８ｂ  垂直面
３８ｃ  ラチェット歯
３９  突出鞘筒部
３９ａ  外周面
３９ｂ  内周面
３９ｃ  抜け止めリブ
４  ポンプ
４１  ポンプ本体
４２  ステム
４３  取付リブ
４４  軸状部
４５  ヘッド取付部
４５ａ  外周面
４５ｂ  凸状部
５  押下ヘッド
５１  外殻部
５２  頂壁部
５２ａ  下面
５３  周面部
５３ａ  内周面
５４  装着筒部
５４ａ  嵌入凹部
５５  ノズル部
５５ａ  吐出孔
５６  ステム挿入孔
６  ストッパ
６１  本体部
６１ａ  内周面
６１ｂ  外周面
６２  挿通開口
６３  案内リブ
７  外キャップ
７１  キャップ本体
７１ａ  挿通孔
７１ｂ  周面部
７１ｃ  内周面
７１ｄ  拡幅凹部
７２  ラチェット部材
７２ａ  傾斜面
７２ｂ  垂直面
７２ｃ  ラチェット歯
７３  嵌合段部
７４  係合リブ
７４ａ  垂直面
７４ｂ  傾斜面
７５  保持リブ
７６  被覆筒部
７６ａ  内周面
７６ｂ  周面部
７６ｃ  開放部
７６ｄ  側片部
７７  折り曲げ片
７７ａ  スリット
７７ｂ  脆弱部
７７ｃ  連結リブ
【図１】
0005394288.tif 000002
【図２】
0005394288.tif 000003
【図３】
0005394288.tif 000004
【図４】
0005394288.tif 000005
【図５】
0005394288.tif 000006
【図６】
0005394288.tif 000007
【図７】
0005394288.tif 000008
【図８】
0005394288.tif 000009
【図９】
0005394288.tif 000010
【図１０】
0005394288.tif 000011
【図１１】
0005394288.tif 000012
【図１２】
0005394288.tif 000013
【図１３】
0005394288.tif 000014